(57)【特許請求の範囲】
【請求項１】
第１のセルの制御基地局によって、第２のセルの制御基地局が送信した要求メッセージを受信するステップであって、前記要求メッセージは前記第２のセルでの停止測定を要求するために使用され、前記第１のセルは前記第２のセルの隣接セルであるステップと、
前記要求メッセージに従って前記第１のセルの前記制御基地局によって、前記第１のセル内の複数のユーザ機器を選択して前記第２のセルを測定するステップと、
前記第１のセルの前記制御基地局によって、前記第２のセルのハンドオーバ性能測定情報を取得するステップと、
前記第１のセルの前記制御基地局によって、前記第２のセルを測定することによって前記複数のユーザ機器が取得した測定情報を受信し、前記測定情報と前記第２のセルのハンドオーバ性能測定情報とに従って、前記第２のセルで停止が発生したかどうかを判定するために使用される情報を生成するステップであって、前記制御基地局は、少なくとも１つのユーザ機器が前記測定情報で正常な測定値を返した場合にターゲット・セルが非停止セルであると判定するために使用される定性的な情報を生成し、前記制御基地局は、全ての選択されたユーザ機器が前記測定情報で異常な測定値を返した場合には前記ターゲット・セルは停止セルであると判定するために使用される定性的な情報を生成する、ステップと、
前記第１のセルの前記制御基地局によって、応答メッセージを前記第２のセルの前記制御基地局に送信するステップであって、前記応答メッセージは前記第２のセルで停止が発生したかどうかを判定するために使用される情報を含むステップと、
を含む、セル停止検出のための方法。
【請求項２】
前記要求メッセージは、以下の情報、即ち、前記第２のセルの識別子、最長測定期間、および実施が要求された測定項目のうち１つまたは複数を含む、請求項１に記載の方法。
【請求項３】
前記第１のセル内のユーザ機器を選択して前記第２のセルを測定するステップは、前記第２のセルのセル端に隣接するユーザ機器を前記第１のセルから選択して前記第２のセルを測定するステップを含む、請求項１または２に記載の方法。
【請求項４】
前記第２のセルの前記ハンドオーバ性能測定情報は、以下の情報、即ち、前記第２のセルに関するハンドオーバ要求数、前記第２のセルに関するハンドオーバ成功数、前記第２のセルの切断／呼解除率のうち１つまたは複数を含む、
請求項１乃至３の何れか１項に記載の方法。
【請求項５】
前記第２のセルを測定することによって前記ユーザ機器が取得した測定情報は、前記第２のセルの参照信号受信電力信号を測定することによって前記ユーザ機器が取得した測定情報または前記第２のセルのアップリンク・チャネルおよびダウンリンク・チャネルを検出することによって前記ユーザ機器が取得した測定情報を含む、請求項１乃至４の何れか１項に記載の方法。
【請求項６】
第２のセルが潜在的な停止セルになったときに、要求メッセージを選択された複数の第１のセルの制御基地局に送信するステップであって、前記要求メッセージは前記第２のセルの停止測定を要求するために使用され、前記第１のセルの前記制御基地局が前記第１のセル内のユーザ機器を選択して前記第２のセルを測定し、前記測定と前記制御基地局により取得された前記第２のセルのハンドオーバ性能測定情報とを通じて取得した測定情報に従って、前記第２のセルで停止が発生したかどうかを判定するために使用される情報を生成し、前記第１のセルは前記第２のセルの隣接セルであるステップと、
前記第１のセルの前記制御基地局によって送信された応答メッセージを受信するステップであって、前記応答メッセージは前記第２のセルで停止が発生したかどうかを判定するために使用される情報を含むステップと、
前記第２のセルで停止が発生したかどうかを判定するために使用される情報に従って、前記第２のセルで停止が発生したかどうかを判定するステップであって、セル停止を示す情報を全ての前記選択された複数の第１のセルが返した場合には、停止が前記第２のセルで発生したと判定されるステップと、
を含む、ネットワーク管理システムにより実行されるセル停止検出のための方法。
【請求項７】
前記方法が前記ネットワーク管理システムによって実行される場合は、前記方法はさらに、
前記ネットワーク管理システムによって、前記第２のセルの前記制御基地局により送信された指示情報を受信するステップであって、前記指示情報は前記第２のセルが潜在的な停止セルになったことを示すために使用されるステップと、
前記ネットワーク管理システムにより、前記指示情報に従って、前記第２のセルの停止測定を要求するために使用される前記要求メッセージを生成するステップと、
を含む、請求項６に記載の方法。
【請求項８】
前記要求メッセージは、以下の情報、即ち、前記第２のセルの識別子、最長測定期間、および実施が要求された測定項目のうち１つまたは複数を含む、請求項６または７に記載の方法。
【請求項９】
第１のセルの制御基地局である基地局であって、
第２のセルの制御基地局が送信した要求メッセージを受信するように構成された第１の受信ユニットであって、前記要求メッセージは第２のセルでの停止測定を要求するために使用され、前記第１のセルは前記第２のセルの隣接セルである第１の受信ユニットと、
前記要求メッセージに従って、前記第１のセル内の複数のユーザ機器を選択して前記第２のセルを測定するように構成された選択ユニットと、
前記第２のセルを測定することによって前記複数のユーザ機器が取得した測定情報を受信するように構成された第２の受信ユニットと、
前記第２のセルのハンドオーバ性能測定情報を取得するように構成された取得ユニットと、
前記測定情報と前記第２のセルのハンドオーバ性能測定情報とに従って、前記第２のセルで停止が発生したかどうかを判定するために使用される情報を生成するように構成された生成ユニットであって、少なくとも１つのユーザ機器が前記測定情報で正常な測定値を返した場合に、ターゲット・セルが非停止セルであると判定するために使用される定性的な情報が生成され、全ての選択されたユーザ機器が前記測定情報で異常な測定値を返した場合には、前記ターゲット・セルは停止セルであると判定するために使用される定性的な情報が生成される、生成ユニットと、
応答メッセージを前記第２のセルの前記制御基地局に送信するように構成された送信ユニットであって、前記応答メッセージは前記第２のセルで停止が発生したかどうかを判定するために使用される情報を含む、送信ユニットと、
を備える、基地局。
【請求項１０】
前記選択ユニットはさらに、前記第２のセルのセル端に隣接するユーザ機器を前記第１のセルから選択して前記第２のセルを測定するように構成された、請求項９に記載の基地局。
【請求項１１】
前記第２のセルの前記ハンドオーバ性能測定情報は、以下の情報、即ち、前記第２のセルに関するハンドオーバ要求数、前記第２のセルに関するハンドオーバ成功数、前記第２のセルの切断／呼解除率のうち１つまたは複数を含む、
請求項９または１０に記載の基地局。
【請求項１２】
第２のセルが潜在的な停止セルになったときに、要求メッセージを選択された複数の第１のセルの制御基地局に送信するように構成された送信ユニットであって、前記要求メッセージは前記第２のセルの停止測定を要求するために使用され、前記第１のセルの前記制御基地局が前記第１のセル内のユーザ機器を選択して前記第２のセルを測定し、前記測定と前記制御基地局により取得された前記第２のセルのハンドオーバ性能測定情報とを通じて取得した測定情報に従って、前記第２のセルで停止が発生したかどうかを判定するために使用される情報を生成し、前記第１のセルは前記第２のセルの隣接セルである送信ユニットと、
前記第１のセルの前記制御基地局によって送信された応答メッセージを受信するように構成された第１の受信ユニットであって、前記応答メッセージは前記第２のセルで停止が発生したかどうかを判定するために使用される情報を含む第１の受信ユニットと、
前記第２のセルで停止が発生したかどうかを判定するために使用される情報に従って、
前記第２のセルで停止が発生したかどうかを判定するように構成された処理ユニットであって、セル停止を示す情報を全ての前記選択された複数の第１のセルが返した場合には、停止が前記第２のセルで発生したと判定される処理ユニットと、
を備える、ネットワーク管理システム。
【請求項１３】
前記第２のセルの前記制御基地局により送信された指示情報を受信するように構成された第２の受信ユニットであって、前記指示情報は前記第２のセルが潜在的な停止セルになったことを示すために使用される第２の受信ユニットと、
前記指示情報に従って、前記第２のセルの停止測定を要求するために使用される前記要求メッセージを生成するように構成された生成ユニットと、
をさらに備える、請求項１２に記載のネットワーク管理システム。
【請求項１４】
前記送信ユニットにより送信された前記要求メッセージは、以下の情報、即ち、前記第２のセルの識別子、最長測定期間、および実施が要求された測定項目のうち１つまたは複数を含む、請求項１２または１３に記載のネットワーク管理システム。
【請求項１５】
コンピュータのプロセッサにより実行されたときに、前記プロセッサに請求項１乃至８の何れか１項に記載の方法を実行させるコンピュータ・プログラム・コードを備えた、コンピュータ読取可能記憶媒体。
【発明の詳細な説明】
【技術分野】
【０００１】
本出願は、発明の名称を「セル停止検出のための方法および装置」とした２０１１年４月２０日に中国国家知識産権局に出願された中国特許出願第２０１１１００９９３０９．７号に対する優先権を主張し、その全体を引用により本明細書に組み込む。
【０００２】
本発明の諸態様は無線通信の分野に関し、特に、セル停止検出のための方法と装置に関する。
【背景技術】
【０００３】
自己管理ネットワーク（Ｓｅｌｆ−Ｏｒｇａｎｉｚｉｎｇ  Ｎｅｔｗｏｒｋ、ＳＯＮ）は、第三世代パートナシップ・プロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）標準化組織がＲ８／９／１０作業期間において従事する重要な標準化作業でありその中心的な考え方は、ネットワーク計画、デプロイメント、最適化、および保守の段階での自動化プロセスを使用することにより従来の手動動作を削減することであり、ネットワーク運用者の保守コストを削減することである。
【０００４】
通信セルには、異常な動作状態がある。この状態のセルは正常な通信サービスを提供することができず、当該セルに存在するユーザ機器（Ｕｓｅｒ  Ｅｑｕｉｐｍｅｎｔ、ＵＥ）は通信接続を確立することができず、または、当該セル内で通信中のユーザ機器は通信接続を維持する能力がないため切断される。さらにセルは、エネルギ節約動作が当該セルにおいて実施されているからではなく深刻な障害が当該セルで発生したために、この異常な動作状態にある。このケースのセルは、停止セル（ｏｕｔａｇｅ  ｃｅｌｌ）と呼ばれる。システムには、停止セル復旧動作またはエネルギ節約セル停止動作を自動的にトリガしてセルを正常な動作状態に戻すセル停止検出の機能が必要である。この自動的なセル停止検出プロセスは、自己管理ネットワークの自己回復（Ｓｅｌｆ  Ｈｅａｌｉｎｇ、ＳＨ）のカテゴリに属する。
【発明の概要】
【発明が解決しようとする課題】
【０００５】
現在、セル停止検出の方法の大部分は基地局内部で実装されている。セル停止障害が発生したかどうかを判定するための循環的な検出が、基地局内部の特定のソフトウェアおよびハードウェア、外部の電源システムまたはネットワーク接続に対して行われ、基地局はセル停止のアラームを報告する。この方法は、基地局の実装に強く相関し、基地局のみに限定されている。別の高度な方法は、ネットワーク管理システムがセルの主要性能指標（Ｋｅｙ  Ｐｅｒｆｏｒｍａｎｃｅ  Ｉｎｄｉｃａｔｏｒ、ＫＰＩ）および／または性能測定値（ＰＭ、Ｐｅｒｆｏｒｍａｎｃｅ  Ｍｅａｓｕｒｅｍｅｎｔｓ）を定期的に収集することである。セルの無線リソース制御（Ｒａｄｉｏ  Ｒｅｓｏｕｒｃｅ  Ｃｏｎｔｒｏｌ、ＲＲＣ）接続構成成功率、または切断率もしくは呼解除率（以降、「切断／呼解除率」と称する）のような性能インジケータが１つまたは数個の報告期間において予め設定された閾値を超過した場合は、当該ネットワーク管理システムは停止障害が当該セルにおいて発生したと考える。これらの方法では全て基地局のみを考慮しており、セルが長時間知られることなく停止状態にある結果となるおそれがあり、その結果、停止セルを判定するのに用いる時間が長くなるか、または、停止セルを誤判定する可能性が高まり、ユーザのサービス・エクスペリエンスが非常に劣化することとなる。
【課題を解決するための手段】
【０００６】
本発明の諸実施形態では、停止セルをリアルタイムに検出できる、セル停止検出のための方法および装置を提供する。
【０００７】
１態様では、本発明は、第１のセルの制御基地局によって、要求メッセージを受信するステップであって、当該要求メッセージは第２のセルでの停止測定を要求するために使用され、当該第１のセルは当該第２のセルの隣接セルであるステップと、当該要求メッセージに従って当該第１のセルの制御基地局によって、当該第１のセル内のユーザ機器を選択して当該第２のセルを測定するステップと、当該第１のセルの制御基地局によって、当該第２のセルを測定することによって当該ユーザ機器が取得した測定情報を受信し、当該測定情報に従って、当該第２のセルで停止が発生したかどうかを判定するために使用される情報を生成するステップと、当該第１のセルの制御基地局によって、応答メッセージを送信するステップであって、当該応答メッセージは当該第２のセルで停止が発生したかどうかを判定するために使用される情報を含むステップとを含む、セル停止検出のための方法を提供する。
【０００８】
別の態様では、本発明は、第２のセルが潜在的な停止セルになったときに、要求メッセージを第１のセルの制御基地局に送信するステップであって、当該第１のセルの当該制御基地局が当該第１のセル内のユーザ機器を選択して当該第２のセルを測定し、当該測定を通じて取得した測定情報に従って、当該第２のセルで停止が発生したかどうかを判定するために使用される情報を生成するように、当該要求メッセージを使用して当該第２のセルの停止測定を要求し、当該第１のセルは当該第２のセルの隣接セルであるステップと、当該第１のセルの制御基地局によって送信された応答メッセージを受信するステップであって、当該応答メッセージは当該第２のセルで停止が発生したかどうかを判定するために使用される情報を含むステップと、当該第２のセルで停止が発生したかどうかを判定するために使用される情報に従って、当該第２のセルで停止が発生したかどうかを判定するステップとを含む、セル停止検出のための方法を提供する。
【０００９】
別の態様では、本発明は基地局を提供する。当該基地局は、第１のセルの制御基地局であり、要求メッセージを受信するように構成された第１の受信ユニットであって、当該要求メッセージは第２のセルでの停止測定を要求するために使用され、当該第１のセルは当該第２のセルの隣接セルである第１の受信ユニットと、当該要求メッセージに従って、当該第１のセル内のユーザ機器を選択して当該第２のセルを測定するように構成された選択ユニットと、当該第２のセルを測定することによって当該ユーザ機器が取得した測定情報を受信するように構成された第２の受信ユニットと、当該測定情報に従って、当該第２のセルで停止が発生したかどうかを判定するために使用される情報を生成するように構成された生成ユニットと、応答メッセージを送信するように構成された送信ユニットであって、当該応答メッセージは当該第２のセルで停止が発生したかどうかを判定するために使用される情報を含む送信ユニットとを備える。
【００１０】
別の態様では、本発明は、第２のセルが潜在的な停止セルになったときに、要求メッセージを第１のセルの制御基地局に送信するように構成された送信ユニットであって、当該第１のセルの当該制御基地局が当該第１のセル内のユーザ機器を選択して当該第２のセルを測定し、当該測定を通じて取得した測定情報に従って、当該第２のセルで停止が発生したかどうかを判定するために使用される情報を生成するように、当該要求メッセージを使用して当該第２のセルの停止測定を要求し、当該第１のセルは当該第２のセルの隣接セルである送信ユニットと、当該第１のセルの制御基地局によって送信された応答メッセージを受信するように構成された第１の受信ユニットであって、当該応答メッセージは当該第２のセルで停止が発生したかどうかを判定するために使用される情報を含む第１の受信ユニットと、当該第２のセルで停止が発生したかどうかを判定するために使用される情報に従って、当該第２のセルで停止が発生したかどうかを判定するように構成された処理ユニットとを備える、ネットワーク装置を提供する。
【００１１】
本発明の諸実施形態では、当該第１のセルのユーザ機器（即ち、当該第２のセルの隣接セル）が当該第２のセル（即ち、ターゲット・セル）を測定し、当該第１のセルの当該制御基地局が、当該第２のセルで停止が発生したかどうかを当該ユーザ機器の測定結果に従って判定するために使用される情報を返す。このように、隣接セルの補助的な測定結果を用いることによって、ターゲット・セルでの停止検出がリアルタイムに実現され、その結果、停止セル検出の効率と正確性が高まる。
【００１２】
本発明の諸実施形態における技術的解決策をより明確に説明するため、以下では諸実施形態または先行技術を説明するのに必要な添付図面を簡潔に説明する。明らかに、以下の説明における添付図面は本発明の幾つかの諸実施形態を示すにすぎず、当業者は創造的な作業なくこれらの添付図面から他の図を導出することができる。
【図面の簡単な説明】
【００１３】
【図１】本発明の１実施形態に従うセル停止検出のための方法を概略的に示す流れ図である。
【図２】本発明の別の実施形態に従うセル停止検出のための方法を概略的に示す流れ図である。
【図３】本発明の１実施形態に従うセル停止検出のプロセスを概略的に示す流れ図である。
【図４】本発明の別の実施形態に従うセル停止検出のプロセスを概略的に示す流れ図である。
【図５】本発明の１実施形態に従う基地局の略ブロック構造図である。
【図６】本発明の１実施形態に従うネットワーク装置の略ブロック構造図である。
【発明を実施するための形態】
【００１４】
以下では、本発明の諸実施形態における図面を参照して、本発明の諸実施形態における技術的解決策を明確かつ十分に説明する。明らかに、説明した諸実施形態は本発明の諸実施形態の全てではなく一部にすぎない。当業者が創造的な作業なしに本発明の諸実施形態に基づいて取得する他の全ての実施形態は、本発明の保護範囲に入るものとする。
【００１５】
本発明の技術的解決策を、様々な通信システム、例えば、グローバル移動通信システム（Ｇｌｏｂａｌ  Ｓｙｓｔｅｍ  ｏｆ  Ｍｏｂｉｌｅ  Ｃｏｍｍｕｎｉｃａｔｉｏｎ、ＧＳＭ）システム、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多重アクセス無線（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、ＷＣＤＭＡ）システム、時分割同期符号分割多重アクセス（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロング・ターム・エボリューション（Ｌｏｎｇ  Ｔｅｒｍ  Ｅｖｏｌｕｔｉｏｎ、ＬＴＥ）システム等の様々な通信システムに適用してもよい。
【００１６】
本発明の諸実施形態におけるユーザ機器（Ｕｓｅｒ  Ｅｑｕｉｐｍｅｎｔ、ＵＥ）は、無線アクセス・ネットワーク（Ｒａｄｉｏ  Ａｃｃｅｓｓ  Ｎｅｔｗｏｒｋ、ＲＡＮ）を介して１つまたは複数のコア・ネットワークと通信できるモバイル端末（Ｍｏｂｉｌｅ  Ｔｅｒｍｉｎａｌ）であってもよい。モバイル端末は、携帯電話（または「セルラ」電話とも呼ばれる）、またはモバイル端末を具備したコンピュータ、例えば、ポータブル、ポケット、ハンドヘルド、コンピュータ組込み型、または車載搭載型モバイル機器であってもよい。これらは会話および／またはデータを無線アクセス・ネットワークと交換する。
【００１７】
本発明の諸実施形態における基地局は、ＧＳＭ（登録商標）もしくＣＤＭＡにおける基地局（Ｂａｓｅ  Ｔｒａｎｓｃｅｉｖｅｒ  Ｓｔａｔｉｏｎ、ＢＴＳ）、ＷＣＤＭＡ（登録商標）もしくはＴＤ−ＳＣＤＭＡにおける基地局（ＮｏｄｅＢ）、またはＬＴＥにおける発展型基地局（ｅｖｏｌｖｅｄ  ＮｏｄｅＢ、ｅＮＢまたはｅ−ＮｏｄｅＢ）であってもよく、本発明によっては限定されない。
【００１８】
停止セルの検出は複雑な機能であり、複数の情報の態様および包括的な判断を必要とする。検出の正確性を高めるために、様々な態様から、判断を行うのを支援する情報を増やして誤判定の可能性を減らす必要がある。本発明の１実施形態で提供されるセル停止検出のための方法は以下の通りである。即ち、ターゲット・セル（即ち、セル停止測定を実施する必要があるセル）が、必要に応じて（オンデマンドで）隣接セルに対する補助的な測定を開始し、停止がターゲット・セルで発生したかどうかを当該隣接セルの補助的な測定結果に従って判定する。ターゲット・セルの制御基地局が予め、当該制御基地局が収集した情報に従って、停止障害がターゲット・セルにおいて発生したかもしれない、即ち、ターゲット・セルが潜在的な停止セルになったと判定することを前提に、上記方法が実施される。
【００１９】
図１は、本発明の１実施形態に従うセル停止検出のための方法を概略的に示す流れ図を示す。本実施形態では、第１のセルおよび第２のセルが、イントラ周波数セル、インター周波数セルまたはインター・システムセルであってもよい。
【００２０】
１０１で、第１のセルの制御基地局が要求メッセージを受信する。当該要求メッセージは、第２のセルでの停止測定を要求するのに使用され、当該第１のセルは当該第２のセルの隣接セルである。
【００２１】
１０２で、当該第１のセルの当該制御基地局が、当該要求メッセージに従って当該第１のセル内のユーザ機器を選択して、当該第２のセルを測定する。
【００２２】
１０３で、当該第１のセルの制御基地局が、当該第２のセルを測定することによって当該ユーザ機器が取得した測定情報を受信し、当該測定情報に従って、当該第２のセルで停止が発生したかどうかを判定するために使用される情報を生成する。
【００２３】
１０４で、当該第１のセルの制御基地局が応答メッセージを受信する。当該応答メッセージは、当該第２のセルで停止が発生したかどうかを判定するために使用される情報を含む。
【００２４】
本発明の各実施形態では、当該第２のセルが停止測定のターゲットである、即ち、セル停止検出を当該第２のセルに対して実施する必要があるので、当該第２のセルを「ターゲット・セル」と称してもよく、当該第１のセルは当該第２のセルの隣接セルであるので、当該第１のセルを「隣接セル」と称してもよい。
【００２５】
あるいは、１実施形態として、上記要求メッセージを上記第２のセル（即ち、ターゲット・セル）の制御基地局によって開始してもよい。例えば、１０１で、当該第１のセルの当該制御基地局は、当該第２のセルの制御基地局により送信された上記要求メッセージを受信し、１０４で、当該第１のセルの当該制御基地局が上述の応答メッセージを当該第２のセルの制御基地局に送信する。
【００２６】
あるいは、別の実施形態として、上記要求メッセージを、基地局から独立したネットワーク管理システムにより開始して隣接セルの補助的な測定プロセスを調整してもよい。例えば、動作、管理、および保守（Ｏｐｅｒａｔｉｏｎｓ  Ａｄｍｉｎｉｓｔｒａｔｉｏｎ  ａｎｄ  Ｍａｉｎｔｅｎａｎｃｅ、ＯＡＭ）システムが、停止セル検出において隣接セルの補助的な測定プロセスを統一的に調整する。例えば、１０１で、第１のセルの制御基地局がネットワーク管理システムにより送信された上記要求メッセージを受信し、１０４で、当該第１のセルの当該制御基地局が上記応答メッセージを上記ネットワーク管理システムに送信する。
【００２７】
あるいは、１実施形態として、上記諸実施形態の各々における要求メッセージが以下の情報、即ち、第２のセルの識別子、最長測定期間、および実施が要求された測定項目のうち１つまたは複数を含んでもよい。
【００２８】
あるいは、１実施形態として、上記諸実施形態の各々において、第１のセルの制御基地局が当該第１のセルから第２のセルのセル端に隣接するユーザ機器を選択して当該第２のセルを測定してもよい。
【００２９】
あるいは、１実施形態として、上記諸実施形態の各々において、第１のセルの制御基地局がさらに、第２のセルのハンドオーバ性能測定情報を取得してもよい。当該第２のセルのハンドオーバ性能測定情報は、以下の情報、即ち、当該第２のセルに関するハンドオーバ要求数、当該第２のセルに関するハンドオーバ成功数、当該第２のセルの切断／呼解除率のうち１つまたは複数を含む。当該第１のセルの当該制御基地局はさらに、上記測定情報および当該第２のセルのハンドオーバ性能測定情報に従って、当該第２のセルで停止が発生したかどうかを判定するために使用される情報を生成する。当該第１のセルの当該制御基地局が、当該第２のセルで停止が発生したかどうかを判定するために使用される情報を生成するとき、当該第１のセル内のユーザ機器が報告した測定情報の考慮に基づいて、当該第１のセルの当該制御基地局がさらに当該第２のセルのハンドオーバ性能測定情報を考慮する。したがって、当該第２のセルで停止が発生したかどうかを判定するために使用される生成された情報はより正確である。
【００３０】
あるいは、１実施形態として、上記諸実施形態の各々において、当該第２のセルを測定することによって当該ユーザ機器が取得した測定情報は、当該第２のセルの参照信号受信電力信号を測定することによって当該ユーザ機器が取得した測定情報、または、当該第２のセルのアップリンク・チャネルおよびダウンリンク・チャネルを検出することによって当該ユーザ機器が取得した測定情報を含む。
【００３１】
本発明の実施形態では、隣接セル（即ち、第１のセル）内のユーザ機器がターゲット・セル（即ち、第２のセル）を測定し、隣接セルの制御基地局が、ターゲット・セル内で停止が発生したかどうかを当該ユーザ機器の測定結果に従って判定するために用いる情報をターゲット・セルに返す。このように、ターゲット・セルは、隣接セルの補助的な測定結果を用いて、ターゲット・セルに対する停止検出をリアルタイムに実現し、それにより停止セル検出の効率と正確性が高まる。
【００３２】
図２は、本発明の別の実施形態に従うセル停止検出のための方法を概略的に示す流れ図である。本実施形態では、第１のセルおよび第２のセルがイントラ周波数セル、インター周波数セルまたはインター・システムセルであってもよい。
【００３３】
２０１で、第２のセルが潜在的な停止セルになったとき、要求メッセージを第１のセルの制御基地局に送信する。当該要求メッセージは当該第２のセルの停止測定を要求するために使用され、当該第１のセルの当該制御基地局が当該第１のセル内のユーザ機器を選択して当該第２のセルを測定し、当該測定を通じて取得した測定情報に従って、当該第２のセルで停止が発生したかどうかを判定するために使用される情報を生成する。当該第１のセルは当該第２のセルの隣接セルである。
【００３４】
２０２で、当該第１のセルの制御基地局によって送信された応答メッセージを受信する。当該応答メッセージは、当該第２のセルで停止が発生したかどうかを判定するために使用される情報を含む。
【００３５】
２０３で、当該第２のセルで停止が発生したかどうかを判定するために使用される情報に従って、当該第２のセルで停止が発生したかどうかを判定する。
【００３６】
あるいは、１実施形態として、上記２０１乃至２０３を当該第２のセル（即ち、ターゲット・セル）の制御基地局によって実施してもよい。
【００３７】
あるいは、別の実施形態として、上記２０１乃至２０３をネットワーク管理システムにより実施してもよい。上記２０１乃至２０３をネットワーク管理システムにより実施する場合は、図２に示した方法の実施形態はさらに、ネットワーク管理システムによって、第２のセルの制御基地局により送信された指示情報を受信するステップであって、当該第２のセルが潜在的な停止セルになったことを当該指示情報が示すように使用されるステップと、当該ネットワーク管理システムにより、当該指示情報に従って、当該第２のセルの停止測定を要求するために使用される要求メッセージを生成するステップを含む。
【００３８】
あるいは、１実施形態として、当該要求メッセージは上記諸実施形態の各々において、以下の情報、即ち、第２のセルの識別子、最長測定期間、および実施が要求された測定項目のうち１つまたは複数を含む。
【００３９】
本発明の実施形態では、隣接セル（即ち、第１のセル）におけるユーザ機器がターゲット・セル（即ち、第２のセル）を測定し、隣接セルの当該制御基地局が、ターゲット・セル内で停止が発生したかどうかを当該ユーザ機器の測定結果に従って判定するために用いる情報をターゲット・セルに返す。このように、ターゲット・セルは、隣接セルの補助的な測定結果を用いて、ターゲット・セルに対する停止検出をリアルタイムで実現し、それにより停止セル検出の効率と正確性が高まる。
【００４０】
図３は、本発明の１実施形態に従うセル停止検出のプロセスを概略的に示す流れ図を示す。図３に示した実施形態では、ｅＮＢ１はターゲット・セルの制御基地局を指し、ｅＮＢ２はターゲット・セルの隣接セルの制御基地局を指し、ＵＥは隣接セル内のユーザ機器を指す。本実施形態では、ターゲット・セルは上記実施形態における第２のセルに対応し、ターゲット・セルの隣接セルは上記実施形態における第１のセルに対応する。
【００４１】
図６で示した参照番号は本発明の実施形態の範囲について何ら限定をもたらすものではないことに留意されたい。例えば、隣接セルの制御基地局とターゲット・セルの制御基地局とが、別々のシステムに属してもよく、例えば、一方がｅＮＢであり他方がＮｏｄｅＢである。当該隣接セルとターゲット・セルがイントラ周波数セル、インター周波数セルまたはインター・システムセルであってもよい。さらに、図３では簡単のため１つの隣接セルのみを示したが、本発明の実施形態はそれに限定されるものではない。ターゲット・セルを、複数の隣接セルにおけるユーザ機器を用いて測定してもよい。さらに、図３では簡単のため１つのＵＥのみを示したが、本発明の実施形態はそれに限定されるものではない。複数のＵＥを用いてターゲット・セルを測定してもよい。これらの変形の全てが本発明の実施形態の範囲に入るものとする。
【００４２】
図３は、分散アーキテクチャ下でのセル停止検出のプロセスである。セル停止検出のプロセスは、ターゲット・セルの制御基地局ｅＮＢ１により開始され、補助的な測定作業要求が、ネットワーク・インタフェース（例えば、Ｘ２インタフェース）を通じて、選択された隣接セルに対して開始される。各選択された隣接セルの制御基地局（即ち、ｅＮＢ２）は、測定作用の実行結果をｅＮＢ１に返し、ｅＮＢ１は包括的な結果に従ってターゲット・セルに対する停止検出判定を行う。ターゲット・セルにおいてセル停止が発生したと判定した場合には、ターゲット・セルの制御基地局ｅＮＢ１がセル停止アラームを生成する。
【００４３】
３０１で、ｅＮＢ１が、ターゲット・セルが潜在的な停止セルであると判定する。例えば、ｅＮＢ１は、内部検出機構を用いて、設定された報告期間においてターゲット・セルのトラフィックが０であることを検出する。具体的には、セルのトラフィックが０であるかどうかを、ＲＲＣ接続試行回数、ＲＲＣ接続構成成功率、無線アクセス・ベアラ（Ｒａｄｉｏ  Ａｃｃｅｓｓ  Ｂｅａｒｅｒ、ＲＡＢ）構成試行回数、ＲＡＢ構成成功率、アクティブ・ユーザの数、無線呼解除／切断率のような報告期間内のセルのインジケータを測定することによって包括的に判定してもよい。このケースでは、ｅＮＢ１が、ターゲット・セルが潜在的な停止セル、例えば、「ターゲット・セル利用不可」になったことを示すアラームまたは通知を生成してもよい。
【００４４】
３０２で、ｅＮＢ１は、ターゲット・セルの隣接セルのリストから、補助的な測定を実施すべき正しい隣接セルを選択する。隣接セルの選択基準は限定されない。例えば、大量のＵＥが、直近の期間内にターゲット・セルの隣接セルにハンドオーバする。当該隣接セルとターゲット・セルがイントラ周波数セル、インター周波数セルまたはインター・システムセルであってもよい。
【００４５】
３０３で、ｅＮＢ１がＸ２インタフェースまたはインター・システム・ネットワーク・インタフェースを介して、選択された隣接セルの制御基地局ｅＮＢ２に要求メッセージを送信する。当該要求メッセージは、以下の情報、即ち、ターゲット・セルの識別子、最長測定期間、および実施が要求された測定項目のうち１つまたは複数を含む。本実施形態では、上記要求メッセージは例示的に「セル停止測定要求」である。例えば、「セル停止測定要求」が、ターゲット・セルの識別子（必須）、実施が要求された測定項目（任意であり、ターゲット・セルの性能測定、ターゲット・セル内のＵＥにより実施される測定等を含む）、および最長測定期間（必須）を運搬してもよい。
【００４６】
３０４で、上記「セル停止測定要求」を受信した後、ｅＮＢ２は、隣接セル内のＵＥを選択して、ターゲット・セルに対する補助的な停止測定プロセスを実装する。ｅＮＢは正しいＵＥ（例えば、ターゲット・セルのセル端に隣接して配置されたＵＥ）を選択し、その結果、当該ＵＥはターゲット・セルに対する指定の測定項目を指定期間内に実施する。
【００４７】
３０５で、隣接セル内の選択されたＵＥがターゲット・セルに対して測定プロセスを実施する。当該測定プロセスには、（ａ）ターゲット・セルの参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）信号を測定するステップと、（ｂ）ターゲット・セルのアップリンク・チャネルおよびダウンリンク・チャネルを検出するステップ、例えば、ＵＥのランダム・アクセスをチェックするステップが含まれるがこれらに限らない。既存のＲＲＣメッセージを、エア・インタフェースのシグナリング・メッセージ、例えば、プロセス・メッセージに新たな情報要素を追加した無線ベアラ再構成または物理チャネル再構成プロセスとして使用してもよい。または、新たなＲＲＣメッセージを追加して、隣接セル内のＵＥがターゲット・セルに対する補助的な停止検出を実施するのに必要な情報要素を運搬してもよい。
【００４８】
３０６で、指定期間内にＵＥにより実施された測定の情報を、エア・インタフェースを介してｅＮＢ２に返す。ここで、既存のＲＲＣメッセージをエア・インタフェースのシグナリング・メッセージとして使用してもよい。
【００４９】
３０７で、ｅＮＢ２がさらに、ターゲット・セルの性能測定項目を監視して、ターゲット・セルのハンドオーバ性能測定情報を取得する。ターゲット・セルのハンドオーバ性能測定情報には、以下の情報、即ち、当該ターゲット・セルに関するハンドオーバ要求数、当該ターゲット・セルに関するハンドオーバ成功数、当該ターゲット・セルの切断／呼解除率のうち１つまたは複数が含まれる。例えば、隣接セル内のＵＥのターゲット・セルに対するハンドオーバのハンドオーバ性能インジケータには、ターゲット・セルへのハンドオーバ試行回数、および設定された監視期間内でのハンドオーバ成功率が含まれる。図３では、３０７を３０４乃至３０６の後に表示しているが、本発明の実施形態はそれには限定されない。３０７を３０４乃至３０６の前に実施してもよいし、３０４乃至３０６と並列に実施してもよい。３０７は任意のステップである。
【００５０】
３０８で、ｅＮＢ２は、ＵＥが返した測定情報を用いることによって、ターゲット・セル内で停止が発生したかどうかを判定するために使用する情報を生成する。３０７が実施された場合、ｅＮＢ２は、ターゲット・セルの上記測定情報とハンドオーバ性能測定情報とに従って、ターゲット・セル内で停止が発生したかどうかを判定するために使用する情報を生成する。
【００５１】
例えば、或るＵＥが、ターゲット・セルの識別子と、返されたメッセージ内で運搬された測定結果においてセルの指定測定項目の正常な測定値（例えば、ＲＳＲＰ値）とを含む限り、隣接セルは補助的な測定を停止し、ターゲット・セルが「非停止」セルであると判定するために使用される定性的な情報を生成する。全ての選択されたＵＥが、ターゲット・セルの識別子と、測定期間の経過後に返されたメッセージ内で運搬された測定結果においてセルの指定測定項目の異常な測定値（例えば、ＲＳＲＰ値）とを含む場合には、隣接セルは補助的な測定を停止し、ターゲット・セルが「停止」セルであると判定するために使用される定性的な情報を生成する。ｅＮＢ２がさらに（３０７と同じく）セルの性能測定項目を監視する場合には、３０８で、ｅＮＢ２は、当該性能測定項目とＵＥが返した測定情報とに従って定性的な情報を生成してもよい。例えば、性能測定インジケータが０または０に近く、ＵＥの測定結果が、ターゲット・セルが「停止」セルであると定性的に示す場合には、ｅＮＢ２は、それに応じて、ターゲット・セルが「停止」セルであると判定するために使用される定性的な情報を生成する。
【００５２】
３０９で、ｅＮＢ２はＸ２インタフェースまたはインター・システムネットワークインタフェースを介して「セル停止測定応答」をｅＮＢ１に返す。当該セル停止測定応答メッセージは、隣接セルの定性的な補助的測定情報、例えば、ターゲット・セルの停止または非停止を運搬する。
【００５３】
３１０で、ＮＢ１は最終的に、選択された隣接セルによって報告されたセル停止測定結果（定性的な情報）を組み合わせることによって、ターゲット・セル内で停止が発生したかどうかを判定する。例えば、選択された隣接セルの全てが、ターゲット・セル内で停止が発生したことを示す指示を返す場合には、ｅＮＢ１は、ターゲット・セル内で停止が発生したと判定し、対応するアラーム、例えば、「ターゲット・セル停止」を送信する。次に、当該プロセスは終了する。
【００５４】
本発明の実施形態では、隣接セル（即ち、第１のセル）内のユーザ機器がターゲット・セル（即ち、第２のセル）を測定し、当該隣接セルの制御基地局が、ターゲット・セル内で停止が発生したかどうかを当該ユーザ機器の測定結果に従って判定するために使用される情報をターゲット・セルに返す。このように、ターゲット・セルは、隣接セルの補助的な測定結果を用いることによって、ターゲット・セルでの停止検出をリアルタイムに実現し、その結果、停止セル検出の効率と正確性が高まる。
【００５５】
図４は、本発明の別の実施形態に従うセル停止検出のプロセスを概略的に示す流れ図である。図４に示す実施形態では、ネットワーク管理システムは例示的にＯＡＭであり、ｅＮＢ１はターゲット・セルの制御基地局を指し、ｅＮＢ２はターゲット・セルの隣接セルの制御基地局を指し、ＵＥは当該隣接セル内のユーザ機器を指す。ＯＡＭは、ベンダのネットワーク管理システム、例えば、要素管理システム（Ｅｌｅｍｅｎｔ  Ｍａｎａｇｅｍｅｎｔ  Ｓｙｓｔｅｍ、ＥＭＳ）であってもよく、または、運用者の統合ネットワーク管理システム、例えば、ネットワーク管理システム（Ｎｅｔｗｏｒｋ  Ｍａｎａｇｅｍｅｎｔ  Ｓｙｓｔｅｍ、ＮＭＳ）であってもよい。本実施形態では、ターゲット・セルは上記実施形態における第２のセルに対応し、ターゲット・セルの隣接セルは上記実施形態における第１のセルに対応する。
【００５６】
図４は、集約アーキテクチャ下でのセル停止検出のプロセスであり、基地局から独立したネットワーク管理システムが、補助的な測定プロセスを統一的に調整する。ターゲット・セルの制御基地局ｅＮＢ１は、事前に、ターゲット・セルが潜在的な停止セルであると判定し、対応するアラームをＯＡＭに送信する。ＯＡＭはターゲット・セルの隣接セルのリストをチェックし、正しい隣接セルを選択し、ネットワーク管理インタフェースを介して、選択された隣接セルに対して補助的な測定作業要求を開始する。選択された隣接セルの各々は、測定作業の実行結果をＯＡＭに返し、ＯＡＭは、包括的な結果に従ってターゲット・セルに対して停止検出判定を行う。ターゲット・セルにおいてセル停止が発生したと判定した場合には、ＯＡＭはターゲット・セル停止アラームを送信する。
【００５７】
４０１で、図３の３０１と同様、ｅＮＢ１は、ターゲット・セルが潜在的な停止セルであると判定する。例えば、ｅＮＢ１は、内部検出機構を用いることによって、設定された報告期間においてターゲット・セルのトラフィックが０であることを検出する。具体的には、セルのトラフィックが０であるかどうかを、ＲＲＣ接続試行回数、ＲＲＣ接続構成成功率、ＲＡＢ構成試行回数、ＲＡＢ構成成功率、アクティブ・ユーザの数、無線呼解除／切断率のような、或る期間内のセルのインジケータを測定することによって包括的に判定してもよい。
【００５８】
４０２で、ｅＮＢ１が、ターゲット・セルが潜在的な停止セルになったこと、例えば、「ターゲット・セル利用不可」になったことを示すアラームまたは通知をＯＡＭに送信する。
【００５９】
４０３で、ＯＡＭは、ターゲット・セルの隣接セルのリストから、補助的な測定を実施すする必要がある正しい隣接セルを選択する。隣接セルの選択基準は限定されない。例えば、大量のＵＥが、直近の期間内にターゲット・セルの隣接セルにハンドオーバする。当該隣接セルとターゲット・セルがイントラ周波数セル、インター周波数セルまたはインター・システムセルであってもよい。
【００６０】
４０４で、ＯＡＭがネットワーク管理インタフェースを介して、選択された隣接セルに要求メッセージを送信する。当該要求メッセージは、以下の情報、即ち、ターゲット・セルの識別子、最長測定期間、および実施が要求された測定項目のうち１つまたは複数を含む。本実施形態では、当該要求メッセージは例示的に「セル停止測定要求」である。例えば、「セル停止測定要求」が、ターゲット・セルの識別子（必須）、実施が要求された測定項目（任意であり、ターゲット・セルの性能測定、ターゲット・セル内のＵＥにより実施される測定等を含む）、および最長測定期間（必須）を運搬する。ＯＡＭがＮＭＳである場合には、新たに定義したノースバウンド・インタフェースのインタフェース統合参照点（Ｉｎｔｅｒｆａｃｅ  Ｉｎｔｅｇｒａｔｉｏｎ  Ｒｅｆｅｒｅｎｃｅ  Ｐｏｉｎｔ、Ｉｎｔｅｒｆａｃｅ  ＩＲＰ）における特定の動作メッセージ（例えば、「セル停止測定」メッセージ）を用いることによって、または、既存のＥＵＴＲＡＮ  ＮＲＭ  ＩＲＰで定義されるセル・オブジェクトに対応する属性を追加することによって、「セル停止測定要求」メッセージを実装してもよい。
【００６１】
図４に示す４０５乃至４０９はそれぞれ図３に示す３０４乃至３０８と同様であり、したがってここでは繰り返さない。
【００６２】
４１０で、ｅＮＢ２がネットワーク管理インタフェースを介して応答メッセージをＯＡＭに返す。当該応答メッセージは、補助的な測定を介して隣接セルにより測定された情報を運搬し、ターゲット・セル内で停止が発生したかどうか、例えば、定性的な情報、即ち、ターゲット・セルの停止または非停止を判定するために使用される。本実施形態では、上記応答メッセージは例示的に「セル停止測定応答」である。ＯＡＭがＮＭＳである場合には、新たに定義したノースバウンド・インタフェースのインタフェース統合参照点（Ｉｎｔｅｒｆａｃｅ  Ｉｎｔｅｇｒａｔｉｏｎ  Ｒｅｆｅｒｅｎｃｅ  Ｐｏｉｎｔ、Ｉｎｔｅｒｆａｃｅ  ＩＲＰ）における特定の動作メッセージ（例えば、「セル停止測定」メッセージ）を用いることによって、または、既存のＥＵＴＲＡＮ  ＮＲＭ  ＩＲＰで定義されるセル・オブジェクトに対応する属性を追加することによって、「セル停止測定要求」メッセージを実装してもよい。
【００６３】
４１１で、ＯＡＭは最終的に、選択された隣接セルによって報告されたセル停止測定結果（定性的な情報）を組み合わせることによって、ターゲット・セル内で停止が発生したかどうかを判定する。例えば、選択された隣接セルの全てが、「ターゲット・セル停止」を示す指示を返す場合には、ＯＡＭは、ターゲット・セル内で停止が発生したと判定し、対応するアラーム、例えば、「ターゲット・セル停止」を送信する。次に、当該プロセスは終了する。
【００６４】
したがって、本発明の実施形態では、基地局がターゲット・セルの起こりうる停止を予め発見したときに、選択された隣接セルに対して必要に応じて停止セルの補助的な測定を基地局が開始する方法を提供する。当該隣接セルは、ターゲット・セルの信号品質および／または隣接セルの性能測定インジケータに対して補助的な測定を実施する際にＵＥを監視し、それにより、停止セル検出判定の正確性をさらに高める。別の態様では、必要に応じて（オンデマンドで）というのは、基地局がターゲット・セルの起こりうる停止を予め発見したというイベントがトリガであることを意味する。隣接セルにおけるＵＥの測定作業はエア・インタフェースに高いデータ負荷をかけないので、ＵＥは要求された測定データを迅速かつ効率的にネットワークへ転送することができる。
【００６５】
図５は、本発明の１実施形態に従う基地局の略構造ブロック図である。図５に示す基地局は第１のセルの制御基地局であり、上記方法の諸実施形態全てにおける第１のセルの制御基地局の動作を実施するように構成することができる。特定の動作プロセスに関する詳細は、上記方法の諸実施形態を参照できるので、本実施形態では詳細をさらに説明することはしない。基地局５００は、第１の受信ユニット５０１、選択ユニット５０２、第２の受信ユニット５０３、生成ユニット５０４、および送信ユニット５０５を備える。
【００６６】
第１の受信ユニット５０１は要求メッセージを受信する。当該要求メッセージは第２のセルでの停止測定を要求するために使用され、上記第１のセルは当該第２のセルの隣接セルである。選択ユニット５０２は、上記要求メッセージに従って、当該第１のセル内のユーザ機器を選択して当該第２のセルを測定する。第２の受信ユニット５０３は、当該第２のセルを測定することによって当該ユーザ機器が取得した測定情報を受信する。生成ユニット５０４は、当該測定情報に従って、当該第２のセルで停止が発生したかどうかを判定するために使用される情報を生成する。送信ユニット５０５は、応答メッセージを送信する。当該応答メッセージは、当該第２のセルで停止が発生したかどうかを判定するために使用される情報を含む。
【００６７】
あるいは、１実施形態として、上記要求メッセージを第２のセル（即ち、ターゲット・セル）の制御基地局により開始してもよい。第１の受信ユニット５０１はさらに、当該第２のセルの制御基地局が送信した要求メッセージを受信するように構成される。送信ユニット５０５はさらに、当該応答メッセージを当該第２のセルの制御基地局に送信するように構成される。
【００６８】
あるいは、別の実施形態として、上記要求メッセージを、基地局から独立したネットワーク管理システムにより統一的に開始して隣接セルの補助的な測定プロセスを調整してもよい。第１の受信ユニット５０１はさらに、当該ネットワーク管理システムにより送信された上記要求メッセージを受信するように構成される。第１の送信ユニット５０５はさらに、上記応答メッセージを当該ネットワーク管理システムに送信するように構成される。
【００６９】
あるいは、１実施形態として、上記諸実施形態の各々において、選択ユニット５０２はさらに、当該第１のセルから、当該第２のセルのセル端に隣接するユーザ機器を選択して当該第２のセルを測定してもよい。
【００７０】
あるいは、１実施形態として、上記諸実施形態の各々において、基地局５００がさらに、第２のセルのハンドオーバ性能測定情報を取得するように構成された取得ユニット５０６を備える。当該第２のセルのハンドオーバ性能測定情報は、以下の情報、即ち、当該第２のセルに関するハンドオーバ要求数、当該第２のセルに関するハンドオーバ成功数、当該第２のセルの切断／呼解除率のうち１つまたは複数を含む。生成ユニット５０４は、上記測定情報および当該第２のセルのハンドオーバ性能測定情報に従って、当該第２のセルで停止が発生したかどうかを判定するために使用される情報を生成する。
【００７１】
第１の受信ユニット５０１、第２の受信ユニット５０３、第２の受信ユニット５０３、および送信ユニット５０５を送受信装置に統合してもよく、または、それらが異なる受信インタフェースおよび送信インタフェースであってもよい。選択ユニット５０２および生成ユニット５０４が各々、プロセッサであってもよい。
【００７２】
図６は、本発明の１実施形態に従うネットワーク装置の略構造ブロック図である。図６に示したネットワーク装置６００は、送信ユニット６０１、第１の受信ユニット６０２、および処理ユニット６０３を備える。
【００７３】
第２のセルが潜在的な停止セルになったとき、送信ユニット６０１は要求メッセージを第１のセルの制御基地局に送信する。当該要求メッセージは、当該第２のセルの停止測定を要求するために使用される。当該第１のセルの制御基地局が当該第１のセル内のユーザ機器を選択して当該第２のセルを測定し、当該測定を通じて取得した測定情報に従って、当該第２のセルで停止が発生したかどうかを判定するために使用される情報を生成する。当該第１のセルは当該第２のセルの隣接セルである。第１の受信ユニット６０２は、当該第１のセルの制御基地局によって送信された応答メッセージを受信する。当該応答メッセージは、当該第２のセルで停止が発生したかどうかを判定するために使用される情報を含む。処理ユニット６０３は、当該第２のセルで停止が発生したかどうかを判定するために使用される情報に従って、当該第２のセルで停止が発生したかどうかを判定する。
【００７４】
あるいは、１実施形態として、ネットワーク装置６００が第２のセルの制御基地局であってもよく、上記方法の諸実施形態における当該第２のセルの制御基地局の動作を実施することができる。特定の動作に関する詳細は、上記方法の諸実施形態を参照できるので、本実施形態では詳細をさらに説明することはしない。
【００７５】
あるいは、１実施形態として、ネットワーク装置６００がネットワーク管理システムであってもよく、上記方法の諸実施形態におけるネットワーク管理システムの動作を実施することができる。特定の動作プロセスに関する詳細は、上記方法の諸実施形態を参照できるので、本実施形態では詳細をさらに説明することはしない。
【００７６】
当該ネットワーク装置がネットワーク管理システムである場合、ネットワーク装置６００はさらに、第２の受信ユニット６０４および生成ユニット６０５を備える。第２の受信ユニット６０４は、当該第２のセルの制御基地局により送信された指示情報を受信する。当該指示情報は、当該第２のセルが潜在的な停止セルになったことを示すために使用される。生成ユニット６０５は、上記指示情報に従って、当該第２のセルの停止測定を要求するために使用される当該要求メッセージを生成する。
【００７７】
あるいは、１実施形態として、上記諸実施形態の各々において送信ユニット６０１が送信した要求メッセージが、以下の情報、即ち、第２のセルの識別子、最長測定期間、および実施が要求された測定項目のうち１つまたは複数を含む。
【００７８】
送信ユニット６０１、第１の受信ユニット６０２、および第２の受信ユニット６０４を送受信装置に統合してもよく、または、それらが異なる受信インタフェースおよび送信インタフェースであってもよい。処理ユニット６０３および生成ユニット６０５が各々、プロセッサであってもよい。
【００７９】
本発明の１実施形態では通信システムも提供する。当該通信システムは、図５に示した実施形態で提供した基地局と、図６で示した実施形態で提供したネットワーク装置とを備えてもよい。当該通信システムがさらに、図５に示した基地局により制御されるセル内のユーザ機器を備えてもよい。
【００８０】
図５および図６で示した諸実施形態で提供した装置およびシステムを使用することにより、隣接セル（即ち、第１のセル）内のユーザ機器がターゲット・セル（即ち、第２のセル）を測定し、当該隣接セル内の制御基地局が、ターゲット・セル内で停止が発生したかどうかを当該ユーザ機器の測定結果に従って判定するために使用される情報をターゲット・セルに返す。このように、ターゲット・セルは、隣接セルの補助的な測定結果を用いることによって、ターゲット・セルでの停止検出をリアルタイムに実現し、その結果、停止セル検出の効率と正確性が高まる。
【００８１】
本明細書で開示した諸実施形態で説明した例と組み合わせて、ユニットおよびアルゴリズム・ステップを電子ハードウェア、コンピュータソフトウェア、またはそれらの組合せで実装してもよいことは当業者には理解される。ハードウェアとソフトウェアの間の互換性を明確に説明するために、以上では、諸機能に従う全ての実施形態の構成とステップを一般的に説明した。機能をハードウェアまたはソフトウェアで実施するか否かは、技術的解決策の特定の応用と設計制約条件とに依存する。当業者は様々な方法を使用して各特定のアプリケーションに対する説明した機能を実施できるが、その実装が本発明の範囲外にあるとは考えるべきではない。
【００８２】
便宜と説明の簡単さのため、上記システム、装置、およびおユニットの詳細なプロセスについては、上記方法の諸実施形態における対応するプロセスを参照し、再度その詳細を説明してはいないことは当業者には明確に理解される。
【００８３】
本出願で提供した幾つかの諸実施形態では、開示したシステム、装置、および方法を他の方法で実装できることは理解される。例えば、説明した装置の実施形態は例示にすぎない。例えば、ユニット分割は論理的な機能分割にすぎず、実際の実装においては他の分割であってもよい。例えば、複数のユニットまたはコンポーネントを別のシステムにおいて組み合わせるかもしくは統合してもよく、または、他の機能を無視するかもしくは実施しなくともよい。さらに、表示または説明した相対的接続または直接接続または通信接続を、幾つかのインタフェースを介して実装してもよい。装置またはユニットの間の直接接続または通信接続を、電子的、機械的、または他の形態で実装してもよい。
【００８４】
別々の部分として説明したユニットが物理的に分離していてもしていなくてもよく、ユニットとして表示した部分が、物理ユニットであってもなくてもよく、１つの位置に配置されてもよく、または、複数のネットワーク・ユニット上に分散されてもよい。当該ユニットの一部または全部を、諸実施形態の解決策の目的を達成するための実際のニーズに従って選択してもよい。
【００８５】
さらに、本発明の諸実施形態における機能ユニットを１つの処理ユニットに統合してもよく、当該ユニットの各々が物理的に単体で存在してもよく、または、２つ以上のユニットを１つのユニットに統合してもよい。統合されたユニットを、ハードウェアの形態で実装してもよく、ソフトウェア機能ユニットの形態で実装してもよい。
【００８６】
統合されたユニットをソフトウェア機能ユニットの形態で実装し独立な製品として販売または使用するときは、当該統合されたユニットをコンピュータ読取可能記憶媒体に格納してもよい。かかる理解のもとに、本発明の本質的な技術的解決策、または先行技術に貢献する部分、または当該技術的解決策の全部もしくは一部を、ソフトウェア製品の形態で実装してもよい。当該コンピュータソフトウェア製品は、記憶媒体に格納され、本明細書の諸実施形態で説明した方法のステップの全部または一部を実施するようにコンピュータ装置（パーソナル・コンピュータ、サーバ、またはネットワーク装置であってもよい）に指示する幾つかの命令を含む。上記記憶媒体には、ＵＳＢフラッシュ・ディスク、取外し可能ハード・ディスク、読取り専用メモリ（Ｒｅａｄ−Ｏｎｌｙ  Ｍｅｍｏｒｙ、ＲＯＭ）、ランダム・アクセス・メモリ（Ｒａｎｄｏｍ  Ａｃｃｅｓｓ  Ｍｅｍｏｒｙ、ＲＡＭ）、磁気ディスク、または光ディスクのような、プログラム・コードを格納できる任意の媒体が含まれる。
【００８７】
以上の説明は、本発明の具体的な諸実施形態に関するにすぎず、本発明の保護範囲を限定しようとするものではない。本発明で開示した技術的範囲に入る、当業者により容易に想到される任意の変形または置換えは、本発明の保護範囲に入るものとする。したがって、本発明の保護範囲は特許請求の範囲の保護範囲によって支配されるものとする。
【符号の説明】
【００８８】
５０１  第１の受信ユニット
５０２  選択ユニット
５０３  第２の受信ユニット
５０４  生成ユニット
５０５  送信ユニット
５０６  取得ユニット
６０１  送信ユニット
６０２  第１の受信ユニット
６０３  処理ユニット
６０４  第２の受信ユニット
６０５  生成ユニット
【図１】
0005863073.tif 000002
【図２】
0005863073.tif 000003
【図３】
0005863073.tif 000004
【図４】
0005863073.tif 000005
【図５】
0005863073.tif 000006
【図６】
0005863073.tif 000007